(57)【要約】【課題】  切断粉を周囲に飛散させることなく切断作業を行うことのできる集塵式電動丸のこ装置を提案すること。【解決手段】  集塵式電動丸のこ装置１は、手押し型の電動丸のこ１０と集塵ホース２０と集塵機３０から構成されている。集塵ホース２０の先端（２３）は電動丸のこ１０の集塵カバー１４後端の排出口１７に着脱可能に接続され、その後端（２４）は集塵機３０の吸引口３１に着脱可能に接続されている。電動丸のこ１０の電源コード１８は集塵ホース２０の内部に配置した電源コード２５を経由して集塵機３０の側に引き出してある。切断時に発生する切断粉が集塵機３０によって強制吸引されるので切断粉が周囲に飛散することがなく、電源コードが切断作業の邪魔になることもない。【選択図】  図１
2005246949.tif 000002
【特許請求の範囲】
【請求項１】
丸鋸刃、鋸刃カバーおよび、この鋸刃カバーに形成された排出口を備えた手押し型の電動丸のこと、
集塵機と、
一端が前記排出口に着脱可能に接続され、他端が前記集塵機の吸引口に着脱可能に接続された集塵ホースとを有し、
前記電動丸のこのオンオフに連動して前記集塵機がオンオフする集塵式電動丸のこ装置。
【請求項２】
請求項１において、
前記電動丸のこに接続されている電源コードが前記集塵ホース内を通って、前記集塵機の側に引き出されている集塵式電動丸のこ装置。
【請求項３】
請求項１または２において、
前記集塵機は、移動可能な自立型集塵機または携帯型集塵機である集塵式電動丸のこ装置。
【請求項４】
丸鋸刃、鋸刃カバーおよび、この鋸刃カバーに形成された排出口を備えた手押し型の電動丸のこと、
集塵機と、
一端が前記排出口に接続され、他端が前記集塵機の吸引口に接続された集塵ホースとを有し、
前記集塵機は前記電動丸のこに固定あるいは一体化されている集塵式丸のこ装置。
【請求項５】
請求項４において、
前記電動丸のこのオンオフに連動して前記集塵機がオンオフする集塵式電動丸のこ。
【請求項６】
建築用部材の加工に用いられ、加工時に加工部分から粉塵が発生する電動式あるいは手動式の工具と、
前記工具に形成され、当該工具の加工部分に連通している工具側吸引口と、
前記工具側吸引口を介して前記加工部分で発生する粉塵を吸引する集塵機とを有し、
前記集塵機は、
前記工具側吸引口に一端が着脱可能に接続されている集塵ホースと、
前記集塵ホースの他端に連通している集塵容器と、
前記集塵容器の内部に着脱可能に収納され、前記集塵ホースを介して吸引される粉塵を捕捉するための可撓性の集塵袋と、
前記集塵容器に吸引口が連通し、前記集塵袋を介して前記集塵ホースの側から空気を吸引する吸引ファンとを有しており、
前記集塵容器は、一端が開口部となっている容器本体と、当該容器本体の開口部を封鎖している着脱可能な蓋と、前記集塵袋より目の粗いスペーサとを備え、当該スペーサは、前記吸引ファンの吸引口に前記集塵袋が密着しないように、前記吸引口と前記集塵袋の間に配置され、
前記容器本体が前記吸引ファンに取り付けられ、前記蓋には前記集塵ホースが取り付けられている集塵機能付き工具。
【請求項７】
請求項６において、
前記集塵袋が前記容器本体の内周面に密着しないように、当該内周面と前記集塵袋の間に前記スペーサが配置されていることを特徴とする集塵機能付き工具。
【請求項８】
請求項６または７において、
前記集塵機は携帯用の取手および／または携帯用の肩掛けベルトを備えた携帯用集塵機であることを特徴とする集塵機能付き工具。
【請求項９】
請求項６、７または８において、
前記工具は、手押し型の電動丸のこ、手持ち式の電動ドリル、手持ち式の電動サンダー、または、手動式の表面研磨用の工具であることを特徴とする集塵機能付き工具。
【請求項１０】
請求項６ないし９のうちのいずれかの項において、
前記工具は電動式工具であり、
当該電動式工具のオンオフに連動して前記集塵機がオンオフすることを特徴とする集塵機能付き工具。
【請求項１１】
請求項６に記載の集塵機能付き工具に用いる携帯用集塵機であって、
前記工具側吸引口に一端が着脱可能に接続されている集塵ホースと、
前記集塵ホースの他端に連通している集塵容器と、
前記集塵容器の内部に着脱可能に収納され、前記集塵ホースを介して吸引される粉塵を捕捉するための可撓性の集塵袋と、
前記集塵容器に吸引口が連通し、前記集塵袋を介して前記集塵ホースの側から空気を吸引する吸引ファンとを有しており、
前記集塵容器は、一端が開口部となっている容器本体と、当該容器本体の開口部を封鎖している着脱可能な蓋と、前記集塵袋より目の粗いスペーサとを備え、当該スペーサは、前記吸引ファンの吸引口に前記集塵袋が密着しないように、前記吸引口と前記集塵袋の間に配置され、
前記容器本体が前記吸引ファンに取り付けられ、前記蓋には前記集塵ホースが取り付けられていることを特徴とする携帯用集塵機。
【請求項１２】
請求項１１において、
前記集塵袋が前記容器本体の内周面に密着しないように、当該内周面と前記集塵袋の間に前記スペーサが配置されていることを特徴とする集塵機能付き工具。
【請求項１３】
請求項１１または１２において、
携帯用の取手および／または携帯用の肩掛けベルトを有していることを特徴とする携帯用集塵機。
【発明の詳細な説明】
【技術分野】
【０００１】
本発明は、建築用部材の加工に用いられ、加工時に加工部分で発生する粉塵を周囲に飛散させることなく回収可能な集塵機能付き工具に関するものである。また、本発明は、かかる集塵機能付き工具に用いる携帯用集塵機に関するものである。
【背景技術】
【０００２】
建築作業などにおいて用いられる電動丸のこ、電動ドリル、電動式サンダーなどの工具は、作業時に粉塵が発生し、周囲に飛散して作業環境の悪化を招く。このために、例えば、手押し型の電動丸のこでは、切断粉が切断方向（前方）に飛散しないように、鋸刃カバーに排出口が形成されており、ここから後方に切断粉が排出されるようになっている。
【発明の開示】
【発明が解決しようとする課題】
【０００３】
しかしながら、室内作業、例えば部屋の改修工事においては、排出された切断粉が室内に充満するので、カバーを取り付けただけでは作業環境の悪化を防止できない。また、カバーによって後方に飛散した切断粉の後片付けも大変である。
【０００４】
このような弊害は、電動丸のこに限ったものではなく、加工時に加工部分から粉塵が発生する他の工具についても当てはまる。例えば、電動ドリルや電動ヤスリなどにおいても、穴あけ時あるいは表面研磨時に発生する粉塵が周囲に飛散する。
【０００５】
本発明の課題は、このような点に鑑みて、加工時に発生する粉塵を周囲に飛散させることなく回収可能な集塵機能付き工具を提案することにある。
【０００６】
また、本発明の課題は、工具の加工部分から発生する粉塵を回収するために当該工具に接続して用いるのに適した携帯用集塵機を提案することにある。
【課題を解決するための手段】
【０００７】
本発明の集塵式電動丸のこ装置は、丸鋸刃、鋸刃カバーおよび、この鋸刃カバーに形成された排出口を備えた手押し型の電動丸のこと、集塵機と、一端が前記排出口に着脱可能に接続され、他端が前記集塵機の吸引口に着脱可能に接続された集塵ホースとを有し、前記電動丸のこのオンオフに連動して前記集塵機がオンオフすることを特徴としている。
【０００８】
ここで、前記電動丸のこに接続されている電源コードなどの配線を、前記集塵ホース内を通して前記集塵機の側に引き出すことが望ましい。
【０００９】
また、前記集塵機としては、キャスタなどの付いた移動式の自立型集塵機を用いることができる。この代わりに、携帯型集塵機を用いることもできる。
【００１０】
次に、本発明の集塵式電動丸のこ装置は、丸鋸刃、鋸刃カバーおよび、この鋸刃カバーに形成された排出口を備えた手押し型の電動丸のこと、集塵機と、一端が前記排出口に接続され、他端が前記集塵機の吸引口に接続された集塵ホースとを有し、前記集塵機は前記電動丸のこに固定あるいは一体化されていることを特徴としている。
【００１１】
ここで、操作性を向上させるためには、前記電動丸のこのオンオフに連動して前記集塵機をオンオフすることが望ましい。
【００１２】
次に、本発明の集塵機能付き工具は、
建築用部材の加工に用いられ、加工時に加工部分から粉塵が発生する電動式あるいは手動式の工具と、
前記工具に形成され、当該工具の加工部分に連通している工具側吸引口と、
前記工具側吸引口を介して前記加工部分で発生する粉塵を吸引する集塵機とを有し、
前記集塵機は、
前記工具側吸引口に一端が着脱可能に接続されている集塵ホースと、
前記集塵ホースの他端に連通している集塵容器と、
前記集塵容器の内部に着脱可能に収納され、前記集塵ホースを介して吸引される粉塵を捕捉するための可撓性の集塵袋と、
前記集塵容器に吸引口が連通し、前記集塵袋を介して前記集塵ホースの側から空気を吸引する吸引ファンとを有しており、
前記集塵容器は、一端が開口部となっている容器本体と、当該容器本体の開口部を封鎖している着脱可能な蓋と、前記集塵袋より目の粗いスペーサとを備え、当該スペーサは、前記吸引ファンの吸引口に前記集塵袋が密着しないように、前記吸引口と前記集塵袋の間に配置され、
前記容器本体が前記吸引ファンに取り付けられ、前記蓋には前記集塵ホースが取り付けられていることを特徴としている。
【００１３】
本発明の集塵機能付き工具は、その加工部分に連通した工具側吸引口を備え、加工部分で発生した粉塵が、ここから集塵機に吸引されて回収される。よって、発生した粉塵の殆どを、外部に飛散させることなく集塵機に回収できる。また、回収された粉塵は、集塵機の吸引ファン吸引口の手前側に配置されている集塵袋内に回収される。よって、従来の集塵機のように吸引ファンの後側（空気排出口の側）に配置した集塵袋に粉塵を回収する場合とは異なり、集塵機の目詰まりを確実に防止できる。また、集塵容器内においては、集塵袋と吸引ファンの吸引口の間に、目の荒いスペーサが配置され、吸引口に集塵袋が密着して、目詰まり状態に陥ってしまうことが防止される。同様に、集塵袋と容器本体の内周面の間にスペーサを配置しておけば、集塵袋が内周面に密着して目詰まり状態に陥ることも防止できる。よって、効率良く、工具の加工部分で発生した粉塵を集塵袋に回収できる。
【００１４】
ここで、前記集塵機は携帯用の取手および／または携帯用の肩掛けベルトを備えていることが望ましい。
【００１５】
前記工具としては、手押し型の電動丸のこ、手持ち式の電動ドリル、手持ち式の電動サンダー、または、手動式の表面研磨用の工具を一例として挙げることができる。
【００１６】
次に、前記工具が電動式工具の場合には、作業の利便性の点から、当該電動式工具のオンオフに連動して前記集塵機がオンオフするように構成することが望ましい。
【００１７】
一方、本発明は、上記構成の集塵機能付き工具に用いる携帯用集塵機であって、
前記工具側吸引口に一端が着脱可能に接続されている集塵ホースと、
前記集塵ホースの他端に連通している集塵容器と、
前記集塵容器の内部に着脱可能に収納され、前記集塵ホースを介して吸引される粉塵を捕捉するための可撓性の集塵袋と、
前記集塵容器に吸引口が連通し、前記集塵袋を介して前記集塵ホースの側から空気を吸引する吸引ファンとを有し、
前記集塵容器は、一端が開口部となっている容器本体と、当該容器本体の開口部を封鎖している着脱可能な蓋と、前記集塵袋より目の粗いスペーサとを備え、当該スペーサは、前記吸引ファンの吸引口に前記集塵袋が密着しないように、前記吸引口と前記集塵袋の間に配置され、
前記容器本体が前記吸引ファンに取り付けられ、前記蓋には前記集塵ホースが取り付けられていることを特徴としている。
【００１８】
ここで、スペーサを、集塵袋と容器本体内周面の間にも配置しておくことが望ましい。また、携帯用の取手および／または携帯用の肩掛けベルトを有していることが望ましい。
【発明の効果】
【００１９】
本発明の集塵式電動丸のこ装置では、集塵機によって切断粉を強制的に吸引すると共に、集塵機を電動丸のこに連動させるようにしている。したがって、切断時に発生する切断粉を、周囲に飛散させることなく確実に回収しながら、切断動作を行うことができる。また、集塵ホースが集塵機および電動丸のこに着脱可能であるので、持ち運びが簡単であり、作業現場において簡単に組み立てることもできる。さらに、手押し型切断機の電源コードなどを集塵ホース内を通して集塵機側に引き出した場合には、電源コードなどの配線が作業の邪魔になることがない。
【００２０】
一方、本発明の集塵式電動丸のこ装置では、集塵機を電動丸のこに固定あるいは一体化してあるので、集塵ホースおよび集塵機を引き回しながら切断作業を行う必要がない。よって、切断作業が容易である。また、電動丸のこに連動して集塵機がオンオフするので、切断動作に連動して集塵動作が開始する。よって、確実に切断粉を回収できる。
【００２１】
次に、本発明の集塵機能付き工具および携帯用集塵機では、その加工部分で発生する粉塵を、工具に形成した工具側吸引口から集塵機の側に吸引して、集塵機吸引ファンの手前側に配置した集塵袋に回収している。したがって、発生した粉塵を周囲に飛散させることなく、また、集塵機に目詰まりが発生することなく、効率良く集塵袋に粉塵を回収できる。
【発明を実施するための最良の形態】
【００２２】
以下に図面を参照して、本発明を適用した各実施の形態を説明する。
【００２３】
（実施の形態１：集塵式電動丸のこ装置）
図１は本発明を適用した集塵式電動丸のこ装置の概略斜視図である。集塵式電動丸のこ装置１は、手押し型の電動丸のこ１０と集塵ホース２０と集塵機３０から構成されている。手押し型の電動丸のこ１０は、丸鋸刃１１と、これを回転駆動するモータ１２と、丸鋸刃１１を覆っている鋸刃カバー兼用の集塵カバー１３と、モータ１２のケース部分および集塵カバー１３の間に架け渡したハンドル１４を備えている。ハンドル１４を掴んでモータ１２のスイッチ１５を入れ、丸鋸刃１１を回転させながら被切断物Ｗに対して押し込むことにより、丸鋸刃１１で被切断物Ｗを切断できる。集塵カバー１３の後端部分は、当該集塵カバー内に溜まった切断粉を排出するための開口となっており、この開口が開閉蓋１６によって封鎖されている。開閉蓋１６には集塵ホース接続口１７が形成されている。また、ハンドル１４の後端部分からは後方に向けて電源コード１８および制御コード１９が延びており、これらの先端にはコネクタ１８ａ、１９ａが取り付けられている。
【００２４】
集塵ホース２０は、可撓性素材からなる円筒状のホース本体部分２１と、ホース本体部分２１の先端に着脱可能に接続された円筒状の接続ホース部分２２と、この接続ホース２２の先端に形成された切断機側接続口２３と、ホース本体部分２１の後端に形成された集塵機側接続口２４を備えている。切断機側接続口２３は手押し型の電動丸のこ１０における集塵カバー１３の集塵ホース接続口１７に対して着脱可能に接続されている。同様に、集塵機側接続口２４も、集塵機３０の吸引口３１に対して着脱可能に接続されている。
【００２５】
ホース本体部分２１の内部には、電源コード２５および制御コード２６が配置されており、これらの先端部分が先端側の開口から引き出され、それらの先端にコネクタ２５ａ、２６ａが取り付けられている。これらのコネクタ２５ａ、２６ａは、電動丸のこ１０の側のコネクタ１８ａ、１９ａにそれぞれ着脱可能に結合されている。同様に、ホース本体部分２１の後端開口からは、電源コード２５の後端部分および制御コード２６の後端部分が引き出されており、それらの先端にはコネクタ２５ｂ、２６ｂがそれぞれ取り付けられている。
【００２６】
集塵機３０は例えば、一般的な家庭用或いは業務用のクリーナと同一構造であり、内部に電動吸引ファンと、電動吸引ファンによって吸引口３１から吸引される空気から塵などを捕捉するためのフィルタと、捕捉された塵などを溜める回収袋などを備えた構造となっている。図示の集塵機３０はキャスタの付いた移動式の自立型のものである。この代わりに、携帯型の小型の集塵機を用いることもできる。集塵機３０の吸引口３１の近傍からは電源コード３２および制御コード３３が引き出されており、それらの先端にはコネクタ３２ａ、３３ａが接続されている。コネクタ３２ａ、３３ａは、集塵ホース２０のコネクタ２５ｂ、２６ｂにそれぞれ着脱可能に結合されている。集塵機３０の他方の側面部分からは電源コード３４が引き出されており、その先端には商用電源のコンセントに差込可能なプラグ３５が取り付けられている。
【００２７】
手押し型の電動丸のこ１０に対する電力の供給は、電源コード３４、集塵ホース２０の電源コード２５を介して行われる。また、電動丸のこ１０のスイッチ１５に連動して、集塵機３０がオンオフするように、電動丸のこ１０のオンオフ信号が、制御コード１９および集塵ホース２０内の制御コード２６を経由して、集塵機３０の制御コード３３を介して当該集塵機に供給されるようになっている。
【００２８】
この構成の集塵式電動丸のこ装置１では、電動丸のこ１０を駆動すると、それに連動して集塵機３０が駆動して集塵動作を開始する。電動丸のこ１０によって木材などを切断する際に発生する切断粉は、集塵カバー１３から集塵ホース２０を介して集塵機３０の側に強制吸引され、ここに回収される。よって、切断粉が周囲に飛散することがない。また、手押し型電動切断機１０の電源コード１８は集塵ホース２０内に配置した電源コード２５を介して集塵機３０の側に引き出されているので、電源コードが作業の邪魔になることがない。
【００２９】
さらに、作業終了後などにおいては、集塵ホース２０を電動丸のこ１０および集塵機３０から外すことができる。したがって、電動丸のこ１０、集塵ホース２０および集塵機３０を切り離して取り扱うことができる。よって、作業場所からの搬出作業、作業場所への搬入作業が容易であり、また、作業場所での組立作業も容易である。
【００３０】
（実施の形態２：集塵装置）
次に、職人などが一般に使用している手押し型の電動丸のこは、一般に、集塵カバーが付いておらず、丸鋸刃の大半が露出している。この構成の電動丸のこを用いる場合には、図２に示す構成の集塵装置を用いることができる。図に示す集塵装置４０は、下側が開口している扁平な箱型の透明プラスチック製の集塵カバー４１と、この集塵カバー４１に先端を挿入固定した集塵ホース４２と、この集塵ホース４２の後端に吸引口が接続された集塵機４３とを備えている。透明プラスチック製の集塵カバー４１は、各機種の手押し型電動切断機に対して着脱可能な形状とされている。また、集塵ホース４２は、透明プラスチック製の集塵カバー４１および集塵機４３に対して着脱可能となっている。
【００３１】
この構成の集塵装置４０を、集塵カバーが付いていない電動丸のこに取り付けることにより、上記の集塵式電動丸のこ装置１と同様なシステムを構築できる。よって、切断粉を周囲に飛散させることなく切断作業を行うことが可能になる。
【００３２】
（実施の形態３：集塵式電動丸のこ装置）
図３は本発明を適用した集塵式電動丸のこ装置を示す概略構成図である。本例の集塵式電動丸のこ装置５０は手押し型の電動丸のこ６０を有し、電動丸のこ６０は、本体ケース６１と、丸鋸刃６２と、これを回転駆動するモータ６３とを備えている。本体ケース６１には、丸鋸刃６２を覆っている鋸刃カバー兼用の集塵カバー部分６４と、ハンドル６５が形成されている。集塵カバー６４の後端部分には、当該集塵カバー６４内に溜まった切断粉を排出するための排出口６８が形成されており、ここに、集塵ホース７０の先端７１が接続されている。集塵ホース７０の後端７２は集塵機８０の吸引側に接続されている。
【００３３】
集塵機８０は、電動丸のこ６０の本体ケース６１におけるハンドル６５の側方位置において、切断作業の障害にならない状態で、固定あるいは一体化されている。集塵機８０は、吸引ファンが内蔵されている本体部分８１と、この本体部分８１における装置後方を向いている吸引口８２に取り付けた直方体形状の集塵ボックス８３と、集塵ボックス８３に内蔵した通気性の集塵袋８４とを備えている。集塵ボックス８３は枡型の本体８３ａと、この本体８３ａに着脱可能に取り付けた蓋８３ｂとを備えており、８３ａの底面部分が吸引口８２に取り付けられ、吸引口８２が集塵ボックス内部に連通している。蓋８３ｂには集塵ホース７０の後端部分７２が接続されており、蓋８３ｂを介して集塵ボックス内に延びているホース端に集塵袋８４の口が接続されている。
【００３４】
一方、ハンドル６５の前側の側面には駆動用のスイッチ６６が取り付けられており、ハンドル６５の後端部分からは電源コード６７が引き出されている。集塵機８０のオンオフもスイッチ６６によって行われるように集塵機８０の給電回路が形成されている。
【００３５】
この構成の集塵式電動丸のこ装置５０のハンドル６５を掴んでスイッチ６６を入れると、電動丸のこ６０および集塵機８０が同時に始動する。回転している丸鋸刃６２を被切断物に押し込むことにより、被切断物の切断作業が行われる。発生した切断粉は集塵カバー６４から集塵ホース７０を介して集塵機８０における集塵ボックス内の集塵袋８４に回収される。切断作業終了後にスイッチ６６を切ると、電動丸のこ６０および集塵機８０が同時に停止する。
【００３６】
集塵機８０によって切断粉が回収されるので、切断粉が周囲に飛散することがない。また、集塵袋８４が一杯になった場合には、集塵ボックス８３の蓋８３ｂを開け、集塵袋８４を新しいものと交換し、再び蓋８３ｂを閉めるという簡単な作業により、回収された切断粉を処分できる。さらには、集塵機８０が電動丸のこ６０に固定あるいは一体化されているので、集塵ホース７０および集塵機８０を、切断作業を行いながら引き回す必要がない。よって、集塵ホース７０あるいは集塵機８０が切断作業の邪魔になることがない。
【００３７】
次に、図４は集塵式電動丸のこ装置５０の変形例を示す概略構成図である。図示の集塵式電動丸のこ装置５０Ａでは、集塵ボックス８３の代わりに、円筒状の集塵ボトル８３Ａを用いている。この集塵ボトル８３Ａの口が、吸引ファンが内蔵されている本体８１の吸引口８２に接続されており、集塵ホース７０の後端７２が集塵ボトル８３Ａの側面に取り付けられている。これ以外の構成は集塵式電動丸のこ装置５０と同様であるので、対応する部位には同一符号を付し、これらの説明を省略する。
【００３８】
なお、図３、４の例では、電動丸のこ６０に集塵機８０を取り付けているが、集塵機８０を省略し、集塵容器（８３、８３Ａ）および集塵袋８４のみを用いることも可能である。すなわち、電動丸のこ６０のモータには冷却用のファンが付いており、このファンによる吸引力を利用して、集塵ホース７０を介して切断粉を回収することができる。この場合には、集塵容器（８３、８３Ａ）を直接に冷却用のファンの吸引口に取り付ければよい。
【００３９】
（実施の形態４：集塵装置を備えた卓上型電動丸のこ装置）
図５は集塵装置を備えた卓上型電動丸のこ装置を示す斜視図である。この丸のこ装置１００は、卓上型電動丸のこ１２０と集塵機１３０とから構成されている。電動丸のこ１００は、丸鋸刃１２１と、丸鋸刃１２１を回転駆動するモータ１２２とを備え、モータ１２２のケースに取り付けたハンドル１２３を掴んで押し下げると、材料搭載台１２４に載せた被切断物に丸鋸刃１２１を向けて押し当てて切断することが可能である。丸鋸刃１２１のカバー１２５の後端には切断粉の排出口１２６が形成されている。
【００４０】
集塵装置１３０は、集塵機１３１と、電動丸のこ１２０を覆っている集塵ドーム１３２と、集塵ドーム１３２から切断粉を集塵機１３１に回収するための集塵ホース１３３とを備えている。
【００４１】
集塵ドーム１３２は、一定の間隔で前後に延びている左右一対のベースフレーム１４１、１４２を備え、これらのベースフレーム１４１、１４２の後端および前後方向の中間位置には、２本の門形フレーム１４３、１４４が垂直に取り付けられている。門形フレーム１４３、１４４の上端には、前後方向に延びている水平フレーム１４５が連結されている。また、門形フレーム１４３、１４４の左右には、前後方向に水平に延びている左側フレーム１４６および右側フレーム１４７が連結されている。さらに、水平フレーム１４５および左右のフレーム１４６、１４７の前端には、門形フレーム１４８が支持されている。この構成のドーム枠は、透明な集塵カバー１５０で覆われている。集塵カバー１５０は、ドーム前面が開口する状態で、ドーム枠全体を覆っている。集塵カバー１５０の後端には集塵ホース１３３が貫通しており、その前端が排出口１２６に接続され、その後端が集塵機１３１に接続されている。集塵ドーム１３２は、その構成部品を分解して持ち運びできるように構成できる。
【００４２】
この構成の集塵ドーム１３２を用いれば、卓上型電動丸のこを用いた場合に発生する切断粉を周囲に飛散させることなく回収できる。
【００４３】
（実施の形態５：集塵機能付き工具）
図６は本発明を適用した集塵機能付きサンダーを示す説明図である。本例は、工具がサンダー（パテ用）の例であるが、建築用部材の加工に用いられ、加工時に加工部分から粉塵が発生する電動式あるいは手動式の工具であればよく、サンダーに限定さるものではない。例えば、手押し型の電動丸のこ、手持ち式の電動ドリル、手持ち式の電動サンダー、または、手動式のヤスリなどの表面研磨用の工具などがある。
【００４４】
本例の集塵機能付きサンダー２００は、サンダー本体２０１と、このサンダー本体２０１に形成され、その加工部分である研磨面２０２に連通している工具側吸引口２０３と、工具側吸引口２０３を介して研磨面２０２で発生する粉塵を吸引する集塵機２１０とを有している。集塵機２１０は、工具側吸引口２０３に前端２１１が着脱可能に接続されている集塵ホース２１２と、この集塵ホース２１２の後端２１３が連通している集塵容器２１４と、集塵容器２１４が取り付けられている吸引ファン本体部分２１５とを有している。集塵容器２１４の内部には、集塵ホース２１２を介して吸引される粉塵を捕捉するための可撓性の集塵袋２１６が着脱可能な状態で収納されている。
【００４５】
集塵容器２１４は、一端が開口部となっている矩形の容器本体２２１と、当該容器本体２２１の開口部を封鎖している着脱可能な矩形の蓋２２２と、集塵袋２１６より目の粗いスペーサ２２３とを備えている。スペーサ２２３は、金網などのある程度の剛性を備えた素材から形成されており、容器本体２２１の内周面から一定の間隔の位置において、当該内周面に沿って配置されたボックス形のものである。容器本体２２１は、その底面に吸引ファン本体部分２１５の吸引口２２４が貫通した状態で当該吸引ファン本体部分２１５に取り付けられている。蓋２２２には集塵ホース２１２の後端２１３が取り付けられている。また、吸引ファン本体部分２１５には、携帯用のハンドル２２５が形成されており、さらに、携帯用の肩掛けベルト２２６も取り付けられている。
【００４６】
図７は、集塵機能付きサンダー２００を用いた研磨作業を示す説明図である。この図に示すように、集塵機２１０を肩に掛けるとともに一方の手でそのハンドル２２５を持ち、集塵機２１０を駆動して、他方の手でサンダー本体２０１のハンドル２２７を握って、壁下地板表面のパテ部分の研磨掛けを行う。発生した研磨粉は、工具側吸引口２０３から集塵ホース２１２を介して集塵容器２１４に吸引され、集塵容器内の集塵袋２１６に回収される。集塵袋２１６が満杯になった後は蓋２２２を外して、集塵袋を交換すればよい。
【００４７】
ここで、集塵中においては、可撓性の集塵袋２１６が吸引ファン吸引口２２４の側に吸引され、当該吸引口２２４あるいは容器本体２２１の内周面に密着するおそれがある。集塵袋２１６が吸引口２２４や内周面に密着すると、目詰まり状態に陥り、集塵動作を継続できなくなってしまう。しかしながら、本例では、スペーサ２２３によって、集塵袋２１６が、吸引口２２４および容器本体内周面から常に離れた状態に保持されるので、このような目詰まり状態の発生を回避できる。
【００４８】
なお、電動式工具の場合には、電動式工具のオンオフに連動させて、集塵機もオンオフできるように、電源回路を形成しておけばよい。
【００４９】
また、集塵機２１０と、その集塵ホース２１２の先端２１１を接続可能な工具側吸引口２０３を備えた各種の工具とを用意しておけば、作業に必要な工具に集塵機２１０を取り付けて作業を行うことができるので便利である。
【図面の簡単な説明】
【００５０】
【図１】本発明を適用した集塵式電動丸のこ装置の概略構成図である。
【図２】電動丸のこに取り付け可能な集塵装置の概略構成図である。
【図３】本発明を適用した集塵式電動丸のこ装置の概略構成図である。
【図４】図３の装置の変形例を示す概略構成図である。
【図５】集塵ドームを備えた卓上型電動丸のこ装置を示す斜視図である。
【図６】集塵機能付き工具の一例を示す説明図、およびその集塵容器の部分を示す部分断面図である。
【図７】図６の集塵機能付き工具を用いた作業状態を示す説明図である。
【符号の説明】
【００５１】
１    集塵式電動丸のこ装置
１０  手押し型の電動丸のこ
１１  丸鋸刃
１２  モータ
１３  集塵ケース
１４  ハンドル
１５  スイッチ
１６  開閉蓋
１７  排出口
１８  電源コード
１９  制御コード
２０  集塵ホース
２１  ホース本体部分
２２  接続ホース
２３  切断機側接続口
２４  集塵機側接続口
２５  電源コード
２６  制御コード
３０  集塵機
３１  吸引口
３２  電源コード
３３  制御コード
３４  電源コード
４０  集塵装置
４１  集塵カバー
４２  集塵ホース
４３  集塵機
５０、５０Ａ  集塵式電動丸のこ装置
６０  電動丸のこ
６１  本体ケース
６２  丸鋸刃
６３  モータ
６４  集塵ケース
６６  スイッチ
６８  排出口
７０  集塵ホース
８０  集塵機
８１  本体
８２  吸引口
８３  集塵ボックス
８３Ａ  集塵ボトル
８４  集塵袋
２００  集塵機能付き工具
２０１  サンダー本体（工具）
２０２  研磨材
２０３  工具側吸引口
２１１  先端
２１２  集塵ホース
２１３  後端
２１４  集塵容器
２１５  吸引ファン本体部分
２１６  集塵袋
２２１  容器本体
２２２  蓋
２２３  スペーサ
２２４  吸引ファンの吸引口
２２５  ハンドル
２２６  肩掛けベルト
【図１】
2005246949.tif 000003
【図２】
2005246949.tif 000004
【図３】
2005246949.tif 000005
【図４】
2005246949.tif 000006
【図５】
2005246949.tif 000007
【図６】
2005246949.tif 000008
【図７】
2005246949.tif 000009